(57)【特許請求の範囲】
【請求項１】
窓枠フレームに装着された窓がスライディングされるレールが隠蔽されるように構成された平レール窓装置において、
前記窓装置は、板状の平板部上面に窓がスライディングされるレールを備え、長手方向に沿って前記窓枠フレームの内部に安着されて固定され、前記平板部上面に結合部が突出形成されたレール部と、
上部に位置する窓結合部と下部に位置するローラー装着部とこれらの一端を互いに連結する連結部とを有し、断面形状が一側面に開放されたコ字状及び逆コ字状であり、ローラー装着部の下部にローラーが装着され、コ字状の開放された面と逆コ字状の開放された面とが相対するように一対が装着され、前記ローラーが前記レール部のレール上部に安着されるように設けられるローラー支持台と、
板状のレール隠蔽板を備え、前記レール隠蔽板の下部に結合突部が下向きに突出形成され、結合突部が前記レール部の結合部と結合されながら固定され、相対するように装着された一対の前記ローラー支持台に引き渡されて各窓結合部とローラー装着部との間にレール隠蔽板が位置するレール隠蔽部材と、
前記ローラー支持台の窓結合部上部に窓フレームの下部が装着されて固定結合される窓と、を含んで構成されることを特徴とするローラー支持台を備えた平レール窓装置。
【請求項２】
前記窓枠フレームは一対で設けられ、一対の前記窓枠フレームの間には断熱材が挿入されて一体形成され、前記断熱材の上部には断熱材カバーが一対の前記窓枠フレームの間に挿入締結されることを特徴とする請求項１に記載のローラー支持台を備えた平レール窓装置。
【請求項３】
前記窓枠フレームは、垂直に位置する一対の側面部と、
前記側面部の下端部分同士を互いに連結する連結部と、
前記側面部の上端部分の各内側面に相対するように形成されているガスケット結合溝と、
前記レール部の平板部両端が締結されるように前記各側面部から内側へ前記連結部の上部位置に突出形成されている結合突出部と、
を含んで構成されることを特徴とする請求項１に記載のローラー支持台を備えた平レール窓装置。
【請求項４】
前記レール部の平板部下部には下向きに一対の支持部が突出形成されていることを特徴とする請求項１に記載のローラー支持台を備えた平レール窓装置。
【請求項５】
前記各ローラー支持台の窓結合部にはモヘアまたはガスケットを挿入装着できる装着溝が形成されており、
前記レール隠蔽板の上部には前記モヘアまたはガスケットの先端と接する部分に凹溝が形成されていることを特徴とする請求項１に記載のローラー支持台を備えた平レール窓装置。
【請求項６】
前記各ローラー支持台の窓結合部両端には、窓結合時に前記窓フレームの結合位置を案内するために、斜めに形成されたガイド突部が上向きにそれぞれ突出されていることを特徴とする請求項１に記載のローラー支持台を備えた平レール窓装置。
【発明の詳細な説明】
【技術分野】
【０００１】
本発明は、平レール窓装置に関し、より詳しくは、断面形状が一側面に開放された逆コ字状のローラー支持台を使用することによって外観が良好で、窓を開けた時に窓枠フレーム上部に露出された溝の個数を減らして気密性と水密性とを向上させる逆コ字状のローラー支持台を備えた平レール窓装置に関する。
【背景技術】
【０００２】
一般的に、建物に設けられる窓は室内から室外を望めることができ、室内外間の騒音と空気及び熱の流れとを遮断する機能をし、窓を開放させることによって汚染された室内空気を換気させる機能をする。このような窓は、一定の大きさを持つ窓枠フレームにスライディングまたは開き戸形態の窓として設けられる。近年は、建物の高級化傾向につれてメンテナンスが容易なだけでなく、外観が良好で防犯機能を持つ様々な窓装置が開発され使用されている。
【０００３】
これまで全ての窓装置の窓枠には、出入口又は窓がスライディング可能なレールが突設されているレール溝が露出されるように形成されているが、このようなレール溝が出入門に設けられた場合、人が通る時に足元が引っかかって転倒することもあり、レール溝に埃又は各種異物が積もるので、汚れたレール溝を掃除する作業が煩わしいだけでなく、特にベランダに設けられた窓装置の場合には露出されたレール溝を介して外風または雨水が容易に浸透して気密性、防音性及び排水性などが大きく劣り、台風又は大雨の時には雨水が室内へ逆流する問題がある。
【０００４】
このような問題を解決するために、大韓民国特許登録第１０−１６７１２４号、大韓民国特許登録第１０−３２４４９６号に開示された発明があるが、これらはその構造が複雑で窓をレール溝に結合及び分離させる作業が難しく、雨水の排水構造が別途備えられていないので排水性が芳しくないだけでなく、雨水が室内に逆流し、外風を遮断する構造が単純なことから外風を遮断させるのに困難であるという問題があった。
【０００５】
本発明の出願人（発明者）は、上記のような問題だけでなく、窓装置を直接施工しながら現れた多くの問題を解決するために鋭意研究開発をし、大韓民国特許登録第１０−９０１９９４号、同特許登録第１０−１０５５３２６号、同特許登録第１０−１２１６６８１号など、窓がスライディングされるレールが外へ露出されないようにレール上部に隠蔽板を装着して平レールのように構成したレール隠蔽型窓装置と関連して多くの技術を開発して特許を受けており、今も窓装置を直接施工しながら気密性、水密性及び断熱性を向上させることはもとより、外観が良好な窓装置に対して開発し続けており、本発明もこのような一連の研究開発過程で導出されたものである。
【発明の開示】
【発明が解決しようとする課題】
【０００６】
本発明は上記のような問題を解決するために案出されたものであって、本発明の目的は、ローラー支持台の断面形状が一側面に開放された逆コ字状にすることによって、窓を開けた時に窓枠フレームとレール隠蔽板との間に露出される溝の本数を減らして外観が良好で気密性及び水密性などを向上させる逆コ字状のローラー支持台を備えた平レール窓装置を提供する。
【課題を解決するための手段】
【０００７】
上記のような課題を解決するために、本発明に係る逆コ字状のローラー支持台を備えた平レール窓装置は、板状の平板部上面に窓がスライディングされるレールを備え、長手方向に沿って前記窓枠フレームの内部に安着されて固定締結され、前記平板部上面に結合部が突出形成されたレール部と、上部に位置する窓結合部と下部に位置するローラー装着部とこれらの一端同士を連結する連結部とを有し、断面形状が一側面に開放された逆コ字状であり、ローラー装着部の下部にローラーが装着され、逆コ字状の開放された面同士が相対するよう一対が装着され、前記ローラーが前記レール部のレール上部に安着されるように設けられるローラー支持台と、板状のレール隠蔽板を備え、前記レール隠蔽板の下部に結合突部が下向きに突出形成され、結合突部が前記レール部の結合部と結合されながら固定され、相対するように装着された一対の前記ローラー支持台に引き渡されて各窓結合部とローラー装着部との間にレール隠蔽板が位置するレール隠蔽部材と、前記ローラー支持台の窓結合部の上部に窓フレームの下部が装着されて固定結合される窓を含んで構成されることを特徴とする。
【０００８】
好ましくは、窓枠フレームは一対で設けられ、一対の前記窓枠フレームの間には断熱材が挿入されて一体形成され、前記断熱材の上部には断熱材カバーが一対の前記窓枠フレームの間に挿入締結される。
【０００９】
好ましくは、窓枠フレームは、垂直に位置する一対の側面部と、側面部の下端部分同士を互いに連結する連結部と、側面部の上端部分の各内側面に相対するように形成されているガスケット結合溝と、レール部の平板部両端がそれぞれ締結されるように前記連結部の上部位置に各側面部から内側へ突出形成されている結合突出部を備えて構成される。
【００１０】
好ましくは、各ローラー支持台の窓結合部にはモヘアまたはガスケットを挿入装着できる装着溝が形成されており、レール隠蔽板の上部には前記モヘアまたはガスケットの先端と接する部分に凹溝が形成されている。
【発明の効果】
【００１１】
上記のような特徴を持つ本発明に係る平レール窓装置は、ローラー支持台の断面形状が一側面に開放された逆コ字状であるので、窓を開けた時に窓枠フレームとレール隠蔽板との間に長手方向に沿って窓当たり溝が１本のみ露出されるので、従来の平レール窓装置において窓当たり溝が２本露出されるよりも外観が良好であるだけでなく、露出される溝の本数が少なくなるので、気密性及び水密性が向上する。また、露出される溝の本数が少なくなるので、溝に挿入されるガスケットの数も少なくなることによって作製に所要される資材費用及びメンテナンス費用を削減できる。
【図面の簡単な説明】
【００１２】
【図１】本発明に係る窓装置を二重窓構造に適用した状態を示した側断面図である。
【図２】図１における窓装置の下部を分解して示した図面である。
【図３】図１の平面を示した平断面図である。
【図４】本発明に係る窓装置を単窓構造に適用した状態を示した側断面図である。
【発明の実施のための最良の形態】
【００１３】
以下、本発明の好ましい実施形態について、図面を参照して詳細に説明する。
【００１４】
本発明に係る平レール窓装置の重要な技術的特徴は、ローラー支持台の断面形状を逆コ字状に作製して、窓を開けた時に窓枠フレームとレール隠蔽板との間に露出されて底に見える溝（ガスケット）の本数を窓当たり１本ずつに減らすことによって、外観が良好で気密性及び水密性をさらに向上させたことである。
【００１５】
本明細書において「平レール窓装置」と称するのは、窓がスライディングされるレールが窓装置の上部に露出されずレール隠蔽板によって隠蔽されて、窓を開けた時にレールは全く見えず、平らな板状のレール隠蔽板の上面のみ見えることによる。
【００１６】
本発明に係る窓装置は、建物に固設された窓枠フレーム１０と、窓枠フレーム１０の内部に締結されて固定されるレール部２０と、レール部２０の上部に安着されてスライディングされるローラー支持台３０と、レール部２０と結合されて位置が固定されながらレールを隠蔽させるレール隠蔽部材４０及びローラー支持台３０の上部に結合される窓５０を基本的な構成とする。
【００１７】
窓枠フレーム１０は、建物に固設されるが、垂直に位置しながら両側壁を成す一対の側面部１１と、側面部１１の下端部分同士を互いに連結する連結部１２から構成され、断面は上方が開放した矩形である。側面部１１の上端部分の各内側面に相対するようにガスケット結合溝１４が形成されており、連結部１２の上部には各側面部１１から内側へ突出された結合突出部１３が長手方向に沿って形成されており、結合突出部１３にレール部２０の平板部２１の両端がそれぞれ締結されるように構成されている。
【００１８】
二重窓である場合、図１のように、窓枠フレーム１０は内側と外側に一対設けられ、一対の窓枠フレーム１０の間には長手方向に沿って断熱材１６が挿入されて一体形成され、断熱材１６の上部には断熱材カバー１７が一対の窓枠フレーム１０の間に挿入締結され、断熱材１６が上部に露出されないようにする。
【００１９】
レール部２０は、長手方向に沿って窓枠フレーム１０の内部に安着されて固定締結される構成であるが、板状の平板部２１を備え、平板部２１の上面には窓がスライディングされるレール２３を備え、平板部２１の上面にはレール隠蔽部材４０の結合突部４２と結合される結合部２４が突出形成されて構成される。また、レール部２０の上部に装着結合される窓５０の重さを安全に支えるために平板部２１の下面には適正な間隔を置いて長手方向に沿って一対の支持部２２を突出形成して、支持部２２が窓枠フレーム１０の連結部１２の上面に支持されるようにすることが好ましい。
【００２０】
レール２３は、結合部４２を中心に長手方向に沿って両側に形成され、安全性を勘案して結合部２４の両側とも一対ずつのレールをそれぞれ形成するのが好ましい。結合部２４は断面がＨ状であるが、相対する内側面にそれぞれ凹溝を形成しておくことによって、レール隠蔽部材４０に備えられた一対の結合突部４２の外側にそれぞれ形成された突起とワンタッチ方式によって互いに結合されるようにすることが好ましい（図２を参照）。
【００２１】
ローラー支持台３０は、上部に位置する窓結合部３３と下部に位置するローラー装着部３２とこれらの一端を互いに連結する連結部（図面符号は指定せず）とを有し、断面形状が一側面に開放された逆コ字状である。ローラー支持台３０は、ローラー装着部３２の下部にローラー３１が等間隔に装着され、逆コ字状の開放された面同士が相対するように一つの窓枠フレーム１０に一対が装着され、ローラー３１が前記レール部２０のレール２３上部に安着されるように設けられる。ローラー３１は、一つのローラー装着部３２の下部に一列（外ローラー）に装着しても良いが、安全性などを勘案して二列（複数ローラー）に装着するのが好ましい。
【００２２】
ローラー支持台３０の連結部外側面には長手方向に沿ってガスケット支持突起３５が形成されており、窓枠フレーム１０の側面部１１上端部分に形成されたガスケット結合溝１４には上部がГ状に折り曲げられたガスケット１５が結合される。窓装置を結合させた時、ガスケット１５の折り曲げられた端部がガスケット支持突起３５の上部に載せられて接し、ガスケット１５の端部が側面部１１とローラー支持台３０との間の隙間に位置しなくなり、側面部１１とローラー支持台３０との間の密閉性と気密性と水密性とを向上させることができる。
【００２３】
平レール窓装置を結合させた時、窓枠フレーム１０の両側に位置する側面部１１とローラー支持台３０の端部との間にはガスケット１５が位置する溝が長手方向に沿って露出される。本発明では逆コ字状のローラー支持台３０を使用するので、窓枠フレーム１０毎に長手方向に沿って両端部分に形成される２本の溝のみが露出されることによって外観が良好であるだけでなく水密性及び気密性が向上する。しかし、ロ状のローラー支持台を使用する場合には、各ローラー支持台の両端に沿って溝が２本ずつ露出され、窓枠フレーム毎に４本ずつの溝が露出されるので、外観上芳しくないだけでなく溝が多くなるので、水密性及び気密性が劣ることになる。
【００２４】
レール隠蔽部材４０は、板状のレール隠蔽板４１と、レール隠蔽板４１の下部に下向きに突出形成されて構成される一対の結合突部４２とを有する。結合突部４２がレール部２０の結合部２４と結合され、レール隠蔽部材４０が固定されながらレール２３が上部に露出されることなく隠蔽されるが、レール隠蔽板４０は開口された面が相対するように装着されたローラー支持台３０に差し込まれて各窓結合部３３とローラー装着部３２との間に位置する（図１を参照）。
【００２５】
ローラー支持台３０の窓結合部３３にはモヘア３６又はガスケットを挿入装着できる装着溝が形成されており、レール隠蔽板４１の上部には前記モヘア３６又はガスケットの先端と接する部分に凹溝４１ａが形成されている。窓装置を組み立てた時、モヘア３６又はガスケットの先端が凹溝４１ａに挿入されながらローラー支持台３０の窓結合部３３の下面とレール隠蔽板４１の上面との間の隙間を防ぐので、密閉性と気密性と水密性とを向上させる。ここで、一つのローラー支持台３０に１本又は２本にモヘア３６或いはガスケットを装着するが、若し、２本に装着する場合には、２本ともモヘア３６（またはガスケット）で装着することもでき、１本はモヘア３６を装着し、もう１本はガスケットを装着することもできる。
窓５０は、ローラー支持台３０の窓結合部３３の上部に窓フレーム５１の下部を装着させて固定結合される。説明していない符号５２は、窓ガラスである。
【００２６】
窓５０の結合時に窓フレーム５１の結合位置を案内するために、ローラー支持台３０の窓結合部３３の両端には斜めに形成されたガイド突部３４が上向きにそれぞれ突出形成されている。このようなガイド突部３４が形成されているので、窓５０を正確な位置に容易に装着して組み立てることができる。
【００２７】
図４は、本発明の平レール窓装置を単窓に適用した場合を示す。ここでは、二重窓に適用した図１に比して、窓枠フレーム１０間に装着された断熱材１６及び断熱材カバー１７のみが無く、その他は同一なので説明は省略する。
【００２８】
以上の説明は本発明を例示的に説明したものであり、明細書に記載された実施形態は本発明の技術思想を限定するためのものでなく説明するためのものであって、本発明の属する技術分野において通常の知識を持つ者であれば本発明の技術思想を外れない範囲内で様々な修正及び変形が可能である。よって、本発明の保護範囲は、請求範囲に記載された事項によって解釈され、それと均等な範囲内にある技術的事項も本発明の権利範囲に含まれるものと解釈しなければならない。
【符号の説明】
【００２９】
１０：窓枠フレーム
１１：側面部
１２：連結部  
１３：結合突出部
１４：ガスケット結合溝
１５：ガスケット
１６：断熱材
１７：断熱材カバー
２０：レール部
２１：平板部
２２：支持部
２３：レール
２４：結合部
３０：ローラー支持台
３１：ローラー
３２：ローラー装着部
３３：窓結合部
３４：ガイド突部
３５：ガスケット支持突起
３６：モヘア
４０：レール隠蔽部材
４１：レール隠蔽板
４２：結合突部
５０：窓
５１：窓フレーム
５２：窓ガラス
【図１】
0006010646.tif 000002
【図２】
0006010646.tif 000003
【図３】
0006010646.tif 000004
【図４】
0006010646.tif 000005